(57)【要約】【課題】数字のみ表示可能な表示装置を用いても、表示されている相手先がだれであるかをユーザに容易に認識させることが可能な通信装置を提供する。【解決手段】着信があると、制御部は、回線から発呼側の電話番号を取得する制御を行い（Ｓ２１ステップ）、回線から取得した電話番号と一致する電話番号が第２格納部に格納されていると判定すると（Ｓ２２ステップ）、一致する電話番号を表示部に表示すると共に（Ｓ２５ステップ）、電話番号に対応する音声メッセージをスピーカから出力させる（Ｓ２６ステップ）。【選択図】  図３
2004260731.tif 000002
【特許請求の範囲】
【請求項１】
格納手段と、入力手段と、音声入力手段と、前記入力手段から入力された電話番号と前記音声入力手段から入力された音声信号とを対応付けて前記格納手段に格納するよう制御する制御手段と、を有することを特徴とする通信装置。
【請求項２】
表示手段と、スピーカと、格納手段と、入力手段と、音声入力手段と、
前記入力手段から入力された電話番号と前記音声入力手段から入力された音声信号とを対応付けて前記格納手段に格納する制御と、前記格納手段に格納されている電話番号を前記表示手段に表示する際に、前記表示手段に表示されている電話番号に対応する音声信号を前記スピーカから出力する制御とを行う制御手段と、を有することを特徴とする通信装置。
【請求項３】
着呼の際に回線から送られてくる電話番号を検出する電話番号検出手段と、格納手段と、音声入力手段と、前記電話番号検出手段が検出した電話番号と前記音声入力手段から入力された音声信号とを対応付けて前記格納手段に格納するよう制御する制御手段と、を有することを特徴とする通信装置。
【請求項４】
着呼の際に回線から送られてくる電話番号を検出する電話番号検出手段と、格納手段と、表示手段と、スピーカと、音声入力手段と、
前記電話番号検出手段が検出した電話番号と前記音声入力手段から入力された音声信号とを対応付けて前記格納手段に格納する制御と、前記格納手段に格納されている電話番号を前記表示手段に表示する際に、前記表示手段に表示されている電話番号に対応する音声信号を前記スピーカから出力する制御とを行う制御手段と、を有することを特徴とする通信装置。
【発明の詳細な説明】
【０００１】
【発明の属する技術分野】
本発明は、留守番電話等の通信装置に関する。
【０００２】
【従来の技術】
近年の留守番電話やコードレス電話等の通信装置は、通常、電話帳機能を有し
ている。前記電話帳機能とは、電話番号と該電話番号に対応する氏名を格納し、格納されている電話番号と氏名を表示部に切換表示する機能である。更に、所望の電話番号が切換表示された状態で発呼操作を行うことにより、表示されている相手先へ発呼を行うことが可能である。
【０００３】
又、着呼時に回線から受信した電話番号を音声信号に変換して、用件メッセージと共に記憶し、ユーザの操作に応じて用件メッセージと該用件メッセージに対応する電話番号を音声で出力する技術が提案されている（例えば、特許文献１）。
【０００４】
【特許文献１】
特開平１１−１８７１１３号公報（第６頁〜第７頁及び図６）。
【０００５】
【発明が解決しようとする課題】
通信装置のコストを下げる為の手段の一つに、電話番号と文字の両方が表示可能な表示装置ではなく、電話番号のみ表示可能な表示装置を通信装置に搭載することが考えられる。
【０００６】
しかし、表示部に相手側の電話番号のみ表示しても、ユーザは、電話番号と相手先を関連付けて記憶していなければ、だれの電話番号であるかを容易に知ることができない。このような問題は、電話帳メモリに登録する相手先の人数が多くなればなるほど顕著に現れる。
【０００７】
このような問題を解決する為に、電話番号のみ表示可能な表示装置を通信装置に搭載すると共に、前記特許文献１に記載の技術のように電話番号データを音声データに変換する技術を通信装置に搭載することも考えられるが、このような音声変換装置は高価である為、このような変換装置を通信装置に搭載しても通信装置のコスト高となり、通信装置のコストを下げるという問題は依然として未解決のままとなる。
【０００８】
【課題を解決するための手段】
本発明はこのような課題を解決する為のものであり、請求項１記載の通信装置は、格納手段と、入力手段と、音声入力手段と、前記入力手段から入力された電話番号と前記音声入力手段から入力された音声信号とを対応付けて前記格納手段に格納するよう制御する制御手段と、を有することを特徴とする。
【０００９】
請求項２記載の通信装置は、表示手段と、スピーカと、格納手段と、入力手段と、音声入力手段と、前記入力手段から入力された電話番号と前記音声入力手段から入力された音声信号とを対応付けて前記格納手段に格納する制御と、前記格納手段に格納されている電話番号を前記表示手段に表示する際に、前記表示手段に表示されている電話番号に対応する音声信号を前記スピーカから出力する制御とを行う制御手段と、を有することを特徴とする。
【００１０】
請求項３記載の通信装置は、着呼の際に回線から送られてくる電話番号を検出する電話番号検出手段と、格納手段と、音声入力手段と、前記電話番号検出手段が検出した電話番号と前記音声入力手段から入力された音声信号とを対応付けて前記格納手段に格納するよう制御する制御手段と、を有することを特徴とする。
【００１１】
請求項４記載の通信装置は、着呼の際に回線から送られてくる電話番号を検出する電話番号検出手段と、格納手段と、表示手段と、スピーカと、音声入力手段と、前記電話番号検出手段が検出した電話番号と前記音声入力手段から入力された音声信号とを対応付けて前記格納手段に格納する制御と、前記格納手段に格納されている電話番号を前記表示手段に表示する際に、前記表示手段に表示されている電話番号に対応する音声信号を前記スピーカから出力する制御とを行う制御手段と、を有することを特徴とする。
【００１２】
【発明の実施の形態】
本発明を適用してなる実施例装置は、着呼時に発呼側の電話番号を受信し電話帳メモリに格納し、受信した電話番号に対応する氏名の音声情報をユーザが通信装置に入力すると、電話番号と入力された氏名の音声情報を電話帳メモリに対で格納し、ユーザが相手先を検索する際には、表示部に前記電話帳メモリに格納されている電話番号を表示すると共に、表示されている電話番号に対応する氏名の音声情報をスピーカから出力するものである。
【００１３】
以下、本実施例装置について詳細に説明する。
【００１４】
図１は、本実施例装置である通信装置（例えば、留守番電話装置）のブロック図である。
【００１５】
制御部１は、以下で説明する各回路の制御を司る。
【００１６】
入力部２は、テンキー、録音開始キー、停止キー、機能キー、等からなる。
【００１７】
表示部３は、例えば液晶表示装置からなり、電話番号を表示可能である。
【００１８】
第１格納部４は、例えばＲＯＭ（Ｒｅａｄ  Ｏｎｌｙ  Ｍｅｍｏｒｙ）からなり、制御部１の制御プログラムが格納されている。
【００１９】
第２格納部５は、例えばＳＲＡＭ（Ｓｔａｔｉｃ  Ｒａｎｄｕｍ  Ａｃｃｅｓｓ  Ｍｅｍｏｒｙ）からなり、電話番号データと該電話番号データに対応する音声データを複数格納可能である、即ち、前記ＳＲＡＭは所謂電話帳メモリとして使用される。尚、前記電話番号データは例えば、入力部２のテンキーを用いることにより格納され、前記音声データは、ユーザの発する音声が後述するスピーカ１３から入力されることにより、格納される。
【００２０】
フック検出部６は、後述するハンドセット１１のフック状態を格納する。
【００２１】
ダイオードブリッジ７は、回線Ｌと接続され、回線Ｌの極性が急激に変化した際に通信装置内部の回路を保護する為の回路である。
【００２２】
極性反転検出回路８は、回線Ｌの極性反転を検出する。
【００２３】
網制御部９は、回線Ｌの閉結及び開放を行う。
【００２４】
スピーチネットワーク１０は、前記網制御部９と、ハンドセット１１と、マイク１２及びスピーカ１３間での通話路の切換を行うと共に、内部に配置されているアンプやアッテネータ等により信号を制御する。
【００２５】
ＤＳＰ（Ｄｉｇｉｔａｌ  Ｓｉｇｎａｌ  Ｐｒｏｃｅｓｓｏｒ）１４は、ハンドセット１１やマイク１２から入力されたアナログの音声信号をデジタル信号に変換し、制御部１へ送信する。このようにハンドセット１１やマイク１２から入力された信号をデジタル信号に変換するのは、前記第２格納部５に電話番号と対でデジタルの音声信号を格納する為である。
【００２６】
尚、前記ＤＳＰ１４は、ユーザが発する応答メッセージをハンドセット１１やマイク１２を介して入力し、デジタル信号に変換した後に前記第２格納部５に格納する際にも使用される。
【００２７】
ハンドセット１１は通話する際に使用される。
【００２８】
マイク１２は音声データを入力する際に使用され、スピーカ１３は、第２格納部５に格納されている音声メッセージを再生する際や呼出音を出力する際に使用される。
【００２９】
尚、前記ハンドセット１１又はマイク１２から音声を入力し、前記第２格納部５に格納することも可能である。
【００３０】
先ず、第２格納部５に電話番号データと音声データを登録する際の動作について以下に説明する。
【００３１】
ユーザの操作に基づいて、電話番号データと音声データを第２格納部５に格納する（登録する）よう指示があると、制御部１はＳ１ステップ以下の処理を行う。
【００３２】
図２のＳ１ステップでは、制御部１は、スピーカ１３から例えば、「電話番号を入力して下さい」と出力し、ユーザに電話番号を入力するように促す。具体的には、制御部１は、第２格納部５から「電話番号を入力して下さい」というデジタルの音声信号を入力し、入力した音声信号をＤＳＰ１４にてアナログ信号に変換し、スピーチネットワーク１０を介してスピーカ１３から出力させる。
【００３３】
続くＳ２ステップでは、制御部１は、入力部２のテンキーから電話番号の入力（例えば、「０８５７−１２−３４５６」）があることを検出するとＳ４ステップへ処理を進め、そうでなければＳ３ステップへ処理を進める。
【００３４】
Ｓ３ステップでは、制御部１は、入力部２から電話番号の登録動作を終了する指示があると判定すると、登録処理を終了し、そうでなければ、Ｓ１ステップへ処理を戻す。即ち、Ｓ１〜Ｓ３ステップにおいて、音声による電話番号の入力指示開始から、電話番号の入力操作或いは登録処理の終了操作がない限り、音声による電話番号の入力指示が繰り返しなされる。
【００３５】
Ｓ４ステップでは、制御部１は、前記Ｓ２ステップで入力された電話番号を第２格納部５に格納し、Ｓ５ステップへ処理を進める。
【００３６】
Ｓ５ステップでは、制御部１は、スピーカ１３から例えば、「録音キーを押し、相手先の氏名をマイクに向けしゃべって下さい」と出力し、ユーザに相手先の氏名を音声により入力するように促す。具体的には、制御部１は、第２格納部５から「録音キーを押し、相手先の氏名をマイクに向けしゃべって下さい」というデジタルの音声信号を入力し、入力した音声信号をＤＳＰ１４にてアナログ信号に変換し、スピーチネットワーク１０を介してスピーカ１３から出力させる。
【００３７】
Ｓ６ステップでは、制御部１は、音声入力の開始指示があるか否かを判定している。具体的には、制御部１は、入力部２から録音キーの押下があると判定すると、Ｓ７ステップへ処理を進め、そうでなければＳ８ステップへ処理を進める。
【００３８】
Ｓ７ステップでは、制御部１は、マイク１２から入力される音声の録音処理を行う。具体的には、制御部１は、スピーチネットワーク１０を介してＤＳＰ１４に入力されたアナログの音声信号（例えば、「田中さんから電話です」）をＤＳＰ１４にてデジタル信号に変換した後、前記Ｓ４ステップで格納された電話番号に対応付けて第２格納部５に格納する。
【００３９】
Ｓ８ステップでは、制御部１は、スピーカ１３から電話番号の登録動作を続けるか否かをユーザに問い合わせる音声メッセージを出力する。具体的には、第２格納部５から、例えば、「登録を続けますか。続ける時は１を、終了する時は３を押して下さい。」という音声メッセージを前記ＤＳＰ１４でアナログ信号に変換させ、変換された音声メッセージをスピーチネットワーク１０を介してスピーカ１３から出力させる。
【００４０】
Ｓ９ステップでは、制御部１は、入力部２から登録操作を継続する指示があるか否かを判定する。具体的には、制御部１は、入力部２から登録を継続することを示す「１」の入力があると判定するとＳ１０ステップへ処理を進め、そうでなければ、処理を終了する。
【００４１】
Ｓ１０ステップでは、制御部１は、前記Ｓ４ステップ及びＳ７ステップで電話番号（及び音声メッセージ）を格納したアドレスの次の空きアドレスへの電話番号（及び音声メッセージ）の格納処理を開始し、Ｓ１ステップへ処理を戻す。
【００４２】
次に、図２で説明した登録動作が終了した後の、着信時の動作について、図３を用いて以下に説明する。尚、図３は、着信時の本実施例装置の動作を示すフロー図である。
【００４３】
図３のＳ２０ステップにおいて、制御部１は、網制御部９から回線Ｌからの着信があることを示す信号を検出するとＳ２１ステップへ処理を進める。
【００４４】
Ｓ２１ステップでは、制御部１は、網制御部９が回線Ｌから発呼側の電話番号データ（例えば、「０８５７−１２−３４５６」）を受信したと判定すると、Ｓ２２ステップへ処理を進め、そうでなければ、Ｓ２７ステップへ処理を進める。
【００４５】
Ｓ２２ステップでは、制御部１は、前記Ｓ２１ステップで受信した電話番号と一致する電話番号が第２格納部５に格納されていると判定するとＳ２３ステップへ処理を進め、そうでなければ、Ｓ２５ステップへ処理を進める。
【００４６】
Ｓ２３ステップでは、制御部１は、前記Ｓ２１ステップで受信した電話番号を表示部３に表示させ、Ｓ２４ステップへ処理を進める。
【００４７】
Ｓ２４ステップでは、制御部１は、スピーカ１３から呼出音を出力させ、Ｓ２７ステップへ処理を進める。
【００４８】
Ｓ２５ステップでは、制御部１は、前記Ｓ２１ステップで受信した電話番号を表示部３に表示させ、Ｓ２６ステップへ処理を進める。
【００４９】
Ｓ２６ステップでは、制御部１は、前記Ｓ２１ステップで受信した電話番号と一致する電話番号に対応する音声メッセージ（例えば、「田中さんから電話です」）を第２格納部５から読み込み、ＤＳＰ１４にてアナログ信号に変換させた後にスピーチネットワーク１０を介してスピーカ１３から出力させ、Ｓ２７ステップへ処理を進める。
【００５０】
尚、音声メッセージは、相手が誰であるかをユーザが識別可能であるならば、名前（例えば、「田中さん」や、「一郎さん」等）としても良いし、ニックネーム（例えば、「いっちゃん」等）としても良い。
【００５１】
Ｓ２７ステップでは、制御部１は、ハンドセット１１がオフフックされたことを示す信号を検出すると、スピーカ１３からの呼出音又は音声（例えば、「田中さん」）の送出を停止させると共にＳ２８ステップへ処理を進める。
【００５２】
尚、前記Ｓ２７ステップにおいて、フック検出部６からハンドセット１１がオフフックされるまで、或いは極性反転検出部８が回線Ｌの極性反転を検出するまでは、表示部３の電話番号表示と、スピーカ１３からの音声出力（或いは、呼出音出力）を継続させる。
【００５３】
Ｓ２８ステップでは、制御部１は通話処理を行う。具体的には、制御部９を制御することにより回線Ｌを閉結させ、ダイオードブリッジ７、制御部９、スピーチネットワーク１０を介して回線Ｌとハンドセット１１を接続させ、Ｓ２９ステップへ処理を進める。
【００５４】
Ｓ２９ステップでは、制御部１は通話終了処理を行う。具体的には、制御部１は、フック検出部６がハンドセット１１のオンフックを検出したと判定するか、或いは極性反転検出部８が回線Ｌの極性が反転したと判定すると、網制御部９を制御することにより回線Ｌを開放させ、処理を終了する。
【００５５】
以上説明したように、本実施例装置では、相手側の電話番号と共に、相手側の電話番号に対応する音声メッセージを第２格納部５に格納可能であり、更に、第２格納部５に格納されている電話番号を表示部３に表示している際に、表示されている電話番号に対応する音声メッセージをスピーカ１３から出力する構成である為、表示部３として電話番号のみ表示可能な液晶表示装置を使用しても、ユーザは誰の電話番号であるかを容易に知ることが可能である。又、電話番号と同じメモリ領域に音声データを格納する為、特別な装置を別途備える必要がない。この為、電話帳機能を十分に活用可能な低コストな通信装置をユーザに提供することが可能である。
【００５６】
又、電話番号と、該電話番号に対応する相手先の氏名を表す音声メッセージと、用件メッセージとを対応付けて格納しても良い。このような構成とした場合、用件メッセージを再生すると共に電話番号を表示し、更に、用件メッセージの再生前或いは再生終了後に相手先の氏名を表す音声メッセージを出力することにより、電話番号のみ表示可能な表示装置を使用しても、用件メッセージの再生の際にだれからのメッセージであるかをユーザに知らせることが可能である。
【００５７】
尚、本実施例では、ユーザが手入力した電話番号のデータとマイク１２から入力した音声メッセージを対応付けて第２格納部５に格納する構成としたが、着信時に回線Ｌから受信した発呼側の電話番号を第２格納部５に格納しておき、着呼終了後に、第２格納部５に格納されている電話番号に対応付けて音声メッセージを第２格納部５に格納しても良い。
【００５８】
このような構成とすることにより、着呼後に一々相手先の電話番号を入力する必要がなく、ユーザが容易に電話帳データを作成することが可能である。
【００５９】
又、本実施例では、電話番号データと音声データを半導体メモリに格納する構成としたが、電話番号データを半導体メモリに格納し、一方、音声データを磁気テープに格納する構成としても良い。
【００６０】
更に、本実施例では、マイク１２から入力された音声を第２格納部５に格納する構成としたが、ハンドセットのマイク１２から入力された音声を第２格納部５に格納する構成としても良い。
【００６１】
又、本実施例では、留守番電話装置について実施したが、コードレス電話やファクシミリ装置等の通信装置においても同様に実施可能である。
【００６２】
【発明の効果】
本発明は、数字のみ表示可能な表示装置を用いても、表示されている相手先がだれであるかをユーザに容易に認識させることが可能である。
【図面の簡単な説明】
【図１】本発明を適用してなる実施例装置のブロック図である。
【図２】本実施例装置の動作を示すフロー図である。
【図３】本実施例装置の動作を示すフロー図である。
【符号の説明】
１  制御部
２  入力部
３  表示部
４  第１格納部
５  第２格納部
９  網制御部
１１  ハンドセット
１２  マイク
１３  スピーカ
【図１】
2004260731.tif 000003
【図２】
2004260731.tif 000004
【図３】
2004260731.tif 000005